(57)【要約】【課題】使用後の折り畳み作業を容易に行うことが可能な包装箱を提供する。【解決手段】底面板４と、天面板２と、側面板３と、側面板５を備え、天面板２には、折り目２５とそれぞれ交わり、折り目５５と交わる方向に延びる天面破断線７２，７３が設けられ、側面板３には、破断線８１，８２，８３にて区画された開封部８８と、天面板２に向かって斜めに延びる折り畳み線８６，８７が設けられ、側面板５には、破断線９１，９２，９３にて区画された切取部９０と、天面板２に向かって斜めに延びる折り畳み線９６，９７が設けられており、開封部８８の底面板４側の端部は、折り畳み線８６，８７が延びる方向が交わる位置よりも底面板４側まで延びて位置し、切取部９０の底面板４側の端部は、折り畳み線９６，９７が延びる方向が交わる位置よりも底面板４側に延びて位置している包装箱１。【選択図】  図２
2020158139.tif 000002
【特許請求の範囲】
【請求項１】
４つの矩形の板材にて囲まれた開口部を有する四角筒状の本体部と、
前記本体部から延出し、前記開口部の少なくとも一部を塞ぐフラップと、
を備えた包装箱であって、
前記本体部は、
底面板と、
前記底面板と向かい合う天面板と、
前記底面板及び前記天面板の一方の側に連接された第１の側面板と、
前記第１の側面板と向かい合い、前記底面板及び前記天面板の他方の側に連接された第２の側面板を備え、
前記天面板には、
前記天面板と前記第１の側面板との境目に設けられた第１の折り目とそれぞれ交わり、前記第２の側面板との境目に設けられた第２の折り目と交わる方向に延びるとともに、間隔をあけて並ぶ一組の天面破断線が設けられ、
前記第１の側面板には、
一方の前記天面破断線と前記第１の折り目が交わる箇所と他方の前記天面破断線と前記第１の折り目が交わる箇所をつなぐ第１の側面破断線にて区画された開封部と、
前記底面板側の一方の角部から、前記天面板に向かって斜めに延びる第１の折り畳み線と、
前記底面板側の他方の角部から、前記天面板に向かって斜めに延びる第２の折り畳み線が設けられ、
前記第２の側面板には、
前記一方の天面破断線と前記第２の折り目とが交わる箇所と、前記他方の天面破断線と前記第２の折り目とが交わる箇所をつなぐ第２の側面破断線にて区画された切取部と、
前記底面板側の一方の角部から、前記天面板に向かって斜めに延びる第３の折り畳み線と、
前記底面板側の他方の角部から、前記天面板に向かって斜めに延びる第４の折り畳み線が設けられており、
前記開封部の前記底面板側の端部は、前記第１の折り畳み線及び前記第２の折り畳み線が延びる方向が交わる位置よりも前記底面板側まで延びて位置し、
前記切取部の前記底面板側の端部は、前記第３の折り畳み線及び前記第４の折り畳み線が延びる方向が交わる位置よりも前記底面板側に延びて位置している包装箱。
【請求項２】
前記天面破断線は、前記天面板の前記開口部側の端部と間隔をあけて延びている請求項１の包装箱。
【請求項３】
前記天面板には、前記一組の天面破断線にて区画された広告表示部が設けられ、
前記広告表示部には、その端部が前記一組の天面破断線とそれぞれ交わり、前記第１の折り目と略平行に延びる中折り線が設けられている請求項１または請求項２に記載の包装箱。
【請求項４】
前記広告表示部は、前記中折り線よりも前記第１の側面板側にある表側表示部と、
前記中折り線よりも前記第２の側面板側にある裏側表示部を備え、
前記中折り線は、
一方の端部が一方の前記天面破断線と交わり、他方の端部が他方の前記天面破断線よりも前記一方の天面破断線側に設けられた第１の中折り線と、
一方の端部が前記他方の天面破断線と交わり、他方の端部が前記第１の中折り線の前記他方の天面破断線側の端部と所定の距離をあけて設けられた第２の中折り線を備えており、
前記表側表示部は、
前記第１の中折り線の前記他方の天面破断線側の端部と、前記第２の中折り線の前記一方の天面破断線側の端部をつなぐ区画破断線にて区画され、前記裏側表示部側に向かって延出する突出部を備えている請求項３に記載の包装箱。
【請求項５】
前記天面板の前記開口部側の端部から延出し、前記開口部の少なくとも一部を覆う一組の天面板側フラップと、
前記底面板の前記開口部側の端部から延出し、前記開口部の少なくとも一部を覆う一組の底面板側フラップと、
前記第１の側面板の前記開口部側の端部から延出し、前記開口部の少なくとも一部を覆う一組の第１の側面側フラップと、
前記第２の側面板の前記開口部側の端部から延出し、前記開口部の少なくとも一部を覆う一組の第２の側面側フラップと、
を更に備え、
前記第１の側面板には、
前側切り離し開始部と、
前記前側切り離し開始部から前記第１の側面板と前記第１の側面側フラップとの境目に設けられた折り目と交差し、前記第１の側面側フラップの前記第１の側面板の前記開口部側の端部と向かい合う端辺まで延びる前側切り離し部が設けられ、
前記第２の側面板には、
後側切り離し開始部と、
前記後側切り離し開始部から前記第２の側面板と前記第２の側面側フラップとの境目に設けられた折り目と交差し、前記第２の側面側フラップの前記第２の側面板の前記開口部側の端部と向かい合う端辺まで延びる後側切り離し部が設けられ、
前記前側切り離し部は、
前記第１の側面側フラップにおいて前記天面板側フラップが重なる部分と、前記底面板側フラップが重なる部分との間の第１の隙間部に設けられ、
前記後側切り離し部は、
前記第２の側面側フラップにおいて前記天面板側フラップが重なる部分と、前記底面板側フラップが重なる部分との間の第２の隙間部に設けられている請求項１から請求項４のいずれかに記載の包装箱。
【請求項６】
前記前側切り離し開始部は、
一方の前記第１の側面側フラップ側の前記第１の側面破断線と前記前側切り離し部が交わる箇所に設けられた第１の前側切り離し開始部と、
他方の前記第１の側面側フラップ側の前記第１の側面破断線と前記前側切り離し部が交わる箇所に設けられた第２の前側切り離し開始部を有している請求項５に記載の包装箱。
【請求項７】
前記後側切り離し開始部は、前記切取部の前記底面板側の端部に隣接して設けられている請求項５または請求項６に記載の包装箱。
【発明の詳細な説明】
【技術分野】
【０００１】
本発明は、商品等の包装に用いて好適な包装箱に関する。
【背景技術】
【０００２】
従来、包装箱の天板に収容物の広告に関する表示を施した包装箱が知られている。この包装箱では、開封後に天板を中折線にて折り曲げて、広告に関する表示がされた部分を起立した状態で配置することができる。このため、この包装箱を、収容物の広告を表示する陳列用のトレーとして使用することができる（例えば特許文献１参照。）。
【０００３】
また、包装箱の側面を構成する側板の所定の高さの部分に、当該側板を破断するカットラインを全周にわたって設けるとともに、向かい合う一組の側板のそれぞれの角部から、傾斜して延びる折り曲げ線をそれぞれ設けた包装箱も知られている。この包装箱では、使用者がこのカットラインを引っ張って各側板を破断させることで、包装箱を上下に分離することができる。また、商品などの内容物を取り出した後に、当該側面板を傾斜して延びる折り曲げ線に沿って外側に折り広げることで、包装箱を平らな状態に折り畳むことができる（例えば、特許文献２参照。）。
【先行技術文献】
【特許文献】
【０００４】
【特許文献１】特許第６１４６２２１号公報
【特許文献２】特許第６２５９０１５号公報
【発明の概要】
【発明が解決しようとする課題】
【０００５】
上述の特許文献１に記載された包装箱では、使用を終えた包装箱を廃棄等のために折り畳むには、接着材などで貼り合わされたフラップを引き剥がさなければならず、折り畳み作業に手間が掛かるという問題があった。また、上述の特許文献２に記載された包装箱では、カットラインに引っ張って包装箱を上下に分離した後でなければ平らに折り畳むことができないという問題があった。
【０００６】
本発明は、上記の課題を解決するためになされたものであって、使用後の折り畳み作業を容易に行うことが可能な包装箱を提供することを目的とする。
【課題を解決するための手段】
【０００７】
上記目的を達成するために、本発明は、以下の手段を提供する。
本発明の包装箱は、４つの矩形の板材にて囲まれた開口部を有する四角筒状の本体部と、前記本体部から延出し、前記開口部の少なくとも一部を塞ぐフラップとを備えた包装箱であって、前記本体部は、底面板と、前記底面板と向かい合う天面板と、前記底面板及び前記天面板の一方の側に連接された第１の側面板と、前記第１の側面板と向かい合い、前記底面板及び前記天面板の他方の側に連接された第２の側面板を備え、前記天面板には、前記天面板と前記第１の側面板との境目に設けられた第１の折り目とそれぞれ交わり、前記第２の側面板との境目に設けられた第２の折り目と交わる方向に延びるとともに間隔をあけて並ぶ一組の天面破断線が設けられ、前記第１の側面板には、一方の前記天面破断線と前記第１の折り目が交わる箇所と他方の前記天面破断線と前記第１の折り目が交わる箇所をつなぐ第１の側面破断線にて区画された開封部と、前記底面板側の一方の角部から、前記天面板に向かって斜めに延びる第１の折り畳み線と、前記底面板側の他方の角部から、前記天面板に向かって斜めに延びる第２の折り畳み線が設けられ、前記第２の側面板には、前記一方の天面破断線と前記第２の折り目とが交わる箇所と、前記他方の天面破断線と前記第２の折り目とが交わる箇所をつなぐ第２の側面破断線にて区画された切取部と、前記底面板側の一方の角部から、前記天面板に向かって斜めに延びる第３の折り畳み線と、前記底面板側の他方の角部から、前記天面板に向かって斜めに延びる第４の折り畳み線が設けられており、前記開封部の前記底面板側の端部は、前記第１の折り畳み線及び前記第２の折り畳み線が延びる方向が交わる位置よりも前記底面板側まで延びて位置し、前記切取部の前記底面板側の端部は、前記第３の折り畳み線及び前記第４の折り畳み線が延びる方向が交わる位置よりも前記底面板側に延びて位置していることを特徴とする。
【０００８】
上記発明においては、前記天面破断線は、前記天面板の前記開口部側の端部と間隔をあけて延びていることが好ましい。
【０００９】
上記発明においては、前記天面板には、前記一組の天面破断線にて区画された広告表示部が設けられ、前記広告表示部には、その端部が前記一組の天面破断線とそれぞれ交わり、前記第１の折り目と略平行に延びる中折り線が設けられていることが好ましい。
【００１０】
上記発明においては、前記広告表示部は、前記中折り線よりも前記第１の側面板側にある表側表示部と、前記中折り線よりも前記第２の側面板側にある裏側表示部を備え、前記中折り線は、一方の端部が一方の前記天面破断線と交わり、他方の端部が他方の前記天面破断線よりも前記一方の天面破断線側に設けられた第１の中折り線と、一方の端部が前記他方の天面破断線と交わり、他方の端部が前記第１の中折り線の前記他方の天面破断線側の端部と所定の距離をあけて設けられた第２の中折り線を備えており、前記表側表示部は、前記第１の中折り線の前記他方の天面破断線側の端部と、前記第２の中折り線の前記一方の天面破断線側の端部をつなぐ区画破断線にて区画され、前記裏側表示部側に向かって延出する突出部を備えていることが好ましい。
【００１１】
上記発明においては、前記天面板の前記開口部側の端部から延出し、前記開口部の少なくとも一部を覆う一組の天面板側フラップと、前記底面板の前記開口部側の端部から延出し、前記開口部の少なくとも一部を覆う一組の底面板側フラップと、前記第１の側面板の前記開口部側の端部から延出し、前記開口部の少なくとも一部を覆う一組の第１の側面側フラップと、前記第２の側面板の前記開口部側の端部から延出し、前記開口部の少なくとも一部を覆う一組の第２の側面側フラップを更に備え、前記第１の側面板には、前側切り離し開始部と、前記前側切り離し開始部から前記第１の側面板と前記第１の側面側フラップとの境目に設けられた折り目と交差し、前記第１の側面側フラップの前記第１の側面板の前記開口部側の端部と向かい合う端辺まで延びる前側切り離し部が設けられ、前記第２の側面板には、後側切り離し開始部と、前記後側切り離し開始部から前記第２の側面板と前記第２の側面側フラップとの境目に設けられた折り目と交差し、前記第２の側面側フラップの前記第２の側面板の前記開口部側の端部と向かい合う端辺まで延びる後側切り離し部が設けられ、前記前側切り離し部は、前記第１の側面側フラップにおいて前記天面板側フラップが重なる部分と、前記底面板側フラップが重なる部分との間の第１の隙間部に設けられ、前記後側切り離し部は、前記第２の側面側フラップにおいて前記天面板側フラップが重なる部分と、前記底面板側フラップが重なる部分との間の第２の隙間部に設けられていることが好ましい。
【００１２】
上記発明においては、前記前側切り離し開始部は、一方の前記第１の側面側フラップ側の前記第１の側面破断線と前記前側切り離し部が交わる箇所に設けられた第１の前側切り離し開始部と、他方の前記第１の側面側フラップ側の前記第１の側面破断線と前記前側切り離し部が交わる箇所に設けられた第２の前側切り離し開始部を有していることが好ましい。
【００１３】
上記発明においては、前記後側切り離し開始部は、前記切取部の前記底面板側の端部に隣接して設けられていることが好ましい。
【発明の効果】
【００１４】
本発明の包装箱によれば、開封部の下側の端部が、第１の折り畳み線が延びる方向と、第２の折り畳み線が延びる方向が交わる箇所よりも底面板の側に延びて位置している。また、切取部の下側の端部が、第３の折り畳み線が延びる方向と、第４の折り畳み線が延びる方向が交わる箇所よりも底面板の側に延びて位置している。このため、包装箱を開封した状態において、第１の側面板、及び第２の側面板において折り畳みの妨げとなる部分が存在していないため、貼り合わされた箇所を引き剥がしたり、包装箱を上下に分離したりすることなく使用後の包装箱を容易に折り畳むことができるという効果を奏する。
【図面の簡単な説明】
【００１５】
【図１】本発明の一実施形態に係る包装箱を説明する展開図である。
【図２】本発明の一実施形態に係る包装箱を正面から見た斜視図である。
【図３】本発明の一実施形態に係る包装箱を背面から見た斜視図である。
【図４】本発明の一実施形態に係る包装箱の開封方法を説明する図である。
【図５】本発明の一実施形態に係る包装箱の開封方法を説明する図である。
【図６】本発明の一実施形態に係る包装箱の陳列状態を説明する図である。
【図７】本発明の一実施形態に係る包装箱の陳列状態を説明する図である。
【図８】本発明の一実施形態に係る包装箱の折り畳み方法を説明する図である。
【図９】本発明の一実施形態に係る包装箱の折り畳み方法を説明する図である。
【図１０】本発明の一実施形態に係る包装箱の折り畳み方法を説明する図である。
【図１１】本発明の一実施形態に係る包装箱を折り畳んだ状態を説明する図である。
【図１２】図１２（ａ）は、本発明の一実施形態に係る包装箱のトレー状態を説明する図である。図１２（ｂ）は、本発明の一実施形態に係るトレー状態の包装箱の折り畳み方法を説明する図である。
【発明を実施するための形態】
【００１６】
この発明の一実施形態に係る包装箱１について、主に図１から図１２を参照して説明を行う。本実施形態では、包装箱１が、瓶入りの飲料などの商品を包装する包装箱として用いられる例に適用して説明する。なお包装箱１は、その他の商品の包装箱として用いられてもよく、特に限定される訳ではない。
【００１７】
以降の説明において、前後、左右、上下の方向は、断りの無い限りそれぞれ図中に示す方向とする。また包装箱１の内容物を収容する側を内側と、その反対の側を外側とも記載する。
【００１８】
１．包装箱の構成の説明
はじめに包装箱１の構成について、主に図１から図３を参照して説明をおこなう。本実施形態に係る包装箱１は、図１に示すような所定の形状に形成されたシート材を、所定の箇所で折り曲げて組み立てられたラップアラウンド型の略直方体の包装箱である。包装箱１は、開封した状態において収容物の広告を表示する部分を備え、広告を表示した状態で商品の陳列に用いることができるものである。
【００１９】
本実施形態では、このシート材が、段ボールシートが所定の形状に形成されたものである例に適用して以降の説明を行う。なお、シート材は、ボール紙や他の公知の板状の部材が所定の形状に形成されたものであってもよい。本実施形態では、段ボールシートの紙巾方向（段ボールシートの中芯が延びる方向）が、包装箱１の上下方向、即ち包装箱１の底面から天面に向かう方向となる様に形成されている例に適用して以降の説明を行う。但し、段ボールシートが、その紙巾方向が上記と異なる向きで所定の形状に形成されていてもよい。
【００２０】
包装箱１には、本体部１０、一対の天面板側フラップ２１，２２、一対の前側面側フラップ３１，３２、一対の底面板側フラップ４１，４２、及び一対の後側面側フラップ５１，５２が主に備えられている。
【００２１】
本体部１０は、４つの板状部材が連接された二つの開口部を有する四角筒状の部分であり、それぞれ略長方形の天面板２、前側面板３、底面板４、及び後側面板５が主に備えられている。この本体部１０の開口部が、包装箱１の左右の開口部となっている。天面板２は、包装箱１の上側の面をなす部分であり、底面板４は、天面板２と向かい合う包装箱１の下側の面をなす部分である。また、前側面板３及び後側面板５は、包装箱１の前後の側面をなす部分である。
【００２２】
本体部１０は、展開した状態で帯状に延びる略長方形の形状をしている。本体部１０は、展開された状態において、その一方の端部側から天面板２、前側面板３、底面板４、後側面板５の順番でそれぞれ並んで配置されている。なお以降の説明において、天面板２、前側面板３、底面板４、及び後側面板５が並ぶ方向を、「面板が並ぶ方向」とも記載する。
【００２３】
天面板２は、前側面板３と連接されており、天面板２と前側面板３との境目には、折り目２５が設けられている。前側面板３は、底面板４と連接されており、前側面板３と底面板４との境目には折り目３５が設けられている。また底面板４は、後側面板５と連接されており、底面板４と後側面板５との境目には折り目４５が設けられている。
【００２４】
後側面板５の、折り目４５と向かい合う辺から、短冊状の接着部６が、面板が並ぶ方向に向かって延出している。この接着部６と後側面板５の境目には、折り目５５が設けられている。この接着部６は、本体部１０を四角筒状に固定する際に用いられる部分である。また折り目５５は、本体部１０を四角筒状に形成した状態において、天面板２と後側面板５の境目の折り目となる部分である。
【００２５】
なお、本実施形態における前側面板３が、特許請求の範囲における第１の側面板とされている。また、本実施形態における後側面板５が、特許請求の範囲における第２の側面板と、折り目２５が、特許請求の範囲における第１の折り目と、折り目５５が、特許請求の範囲における第２の折り目とされている。
【００２６】
天面板２の左右の辺から、面板が並ぶ方向と交わる方向に略長方形の天面板側フラップ２１，２２がそれぞれ出している。天面板２と天面板側フラップ２１，２２との境目には、折り目２３，２４がそれぞれ設けられている。
【００２７】
前側面板３の左右の辺から、面板が並ぶ方向と交わる方向に略長方形の前側面側フラップ３１，３２がそれぞれ延出している。前側面板３と前側面側フラップ３１，３２との境目には、折り目３３，３４がそれぞれ設けられている。
【００２８】
底面板４の左右の辺から、面板が並ぶ方向と交わる方向に略長方形の底面板側フラップ４１，４２がそれぞれ延出している。また、底面板４と底面板側フラップ４１，４２との境目には、折り目４３，４４がそれぞれ設けられている。
【００２９】
後側面板５の左右の辺から、面板が並ぶ方向と交わる方向に略長方形の後側面側フラップ５１，５２がそれぞれ延出している。後側面板５と後側面側フラップ５１，５２との境目には、折り目５３、５４がそれぞれ設けられている。なお以降において折り目２３〜２５，折り目３３〜３５，折り目４３〜４５，折り目５３〜５５を総称して「折り目」とも記載する。また、天面板側フラップ２１，２２、前側面側フラップ３１，３２、底面板側フラップ４１，４２、及び後側面側フラップ５１，５２を総称して「フラップ」とも記載する。
【００３０】
本実施形態において折り目とは、シート材を所望の位置で折り曲げやすくするために、シート材の少なくとも一方の側の面に設けられた直線状の罫線をいう。具体的には、シート材の所望の部分を、シート材の厚さ方向に圧縮して線状につぶした（窪ませた）部分をいう。本実施形態では、包装箱１を組み立てた際に内側を向くシート材の内側の面に、それぞれの折り目が設けられている例に適用して以降の説明を行う。なお折り目は、シート部材を所望の位置で折り曲げやすくするために加工されたものであれば、他の公知の方法によって設けられたものであってもよい。
【００３１】
なお、天面板側フラップ２１、前側面側フラップ３１、底面板側フラップ４１、及び後側面側フラップ５１は、それぞれ折り目２３，３３，４３，５３にて曲げられて、本体部１０の右側の開口部を塞ぎ、包装箱１の右側の側面を形成する部分である。また、天面板側フラップ２２、前側面側フラップ３２、底面板側フラップ４２、及び後側面側フラップ５２は、それぞれ折り目２４，３４，４４，５４にて曲げられて、本体部１０の左側の開口部を塞ぎ、包装箱の左側の側面を形成する部分である。
【００３２】
本実施形態では、前側面側フラップ３１，３２、及び後側面側フラップ５１，５２は、包装箱１の開口部を塞ぐ際に、はじめに折り曲げられる内側フラップである例に適用して以降の説明を行う。また天面板側フラップ２１，２２、及び底面板側フラップ４１，４２は、先に折り曲げられた前側面側フラップ３１，３２、及び後側面側フラップ５１，５２の外側の面に重ねる様にして折り曲げられる外側フラップである例に適用して以降の説明を行う。なお、前側面側フラップ３１，３２、及び後側面側フラップ５１，５２を外側フラップとし、天面板側フラップ２１，２２、及び底面板側フラップ４１，４２を内側フラップとして本体部１０の左右の開口部を塞いでもよい。
【００３３】
本実施形態における前側面側フラップ３１，３２が、特許請求の範囲における一組の第１の側面側フラップとされている。また、後側面側フラップ５１，５２が、特許請求の範囲における一組の第２の側面側フラップとされている。
【００３４】
前側面側フラップ３１，３２と後側面側フラップ５１，５２の、包装箱１を組み立てた際に前後を向く方向の長さは、それぞれ包装箱１の開口の前後方向の約半分の長さとなっている。このため、例えば前側面側フラップ３１と後側面側フラップ５１を折り曲げて本体部１０の右側の開口部を塞ぐと、前側面側フラップ３１の折り目３３と向かい合う端辺３６と、後側面側フラップ５１の折り目５３と向かい合う端辺５６が隙間なく向かい合い、本体部１０の右側の開口部のほぼ全体が、前側面側フラップ３１と後側面側フラップ５１によって覆われる。同様に前側面側フラップ３２と後側面側フラップ５２を折り曲げて本体部１０の左側の開口部を塞ぐと、前側面側フラップ３２の折り目３４と向かい合う端辺３７と、後側面側フラップ５２の折り目５４と向かい合う端辺５７が隙間なく向かい合い、本体部１０の左側の開口部のほぼ全体が、前側面側フラップ３２と後側面側フラップ５２によって覆われる。なお、前側面側フラップ３１，３２と後側面側フラップ５１，５２の、包装箱１を組み立てた際に前後を向く方向の長さは、上記とは異なる長さであってもよい。例えば包装箱１の用途によっては、開口の前後方向の約半分の長さより短く、開口部を塞いだ際に、端辺３６と端辺５６との間、及び端辺３７と端辺５７との間に隙間が空くような長さであってもよい。
【００３５】
また、天面板側フラップ２１，２２の包装箱１を組み立てた際に上下を向く方向の長さは、それぞれ包装箱１の開口の上下方向の約半分の長さ（天面板２と底面板４が離間する距離の半分の長さ）となっている。一方、底面板側フラップ４１，４２の包装箱１を組み立てた際に上下を向く方向の長さは、それぞれ包装箱１の開口の上下方向の半分の長さよりも短い長さとなっている。このため、例えば天面板側フラップ２１と底面板側フラップ４１を折り目２３，４３にて折り曲げて、先に折り曲げられた前側面側フラップ３１と後側面側フラップ５１の外側の面に重ねると、天面板側フラップ２１と底面板側フラップ４１は、折り目２３と向かい合う端辺２６と、折り目４３と向かい合う端辺４６との間に隙間が生じた状態で配置される。即ち、前側面側フラップ３１及び後側面側フラップ５１において、天面板側フラップ２１、及び底面板側フラップ４１と重ならない部分が生じる。
【００３６】
同様に、天面板側フラップ２２と底面板側フラップ４２を折り目２４，４４にて折り曲げて、先に折り曲げられた前側面側フラップ３２と後側面側フラップ５２の外側の面に重ねると、天面板側フラップ２２と底面板側フラップ４２は、折り目２４と向かい合う端辺２７と、折り目４４と向かい合う端辺４７との間に隙間が生じた状態で配置される。即ち、前側面側フラップ３２と後側面側フラップ５２において天面板側フラップ２２、及び底面板側フラップ４２と重ならない部分が生じる。
【００３７】
なお以降の説明において、この前側面側フラップ３１，３２における天面板側フラップ２１，２２、及び底面板側フラップ４１，４２と重ならない部分を隙間部Ｇ１とも記載する。換言すれば、包装箱１の開口部をフラップにて閉じた際に、天面板側フラップ２１，２２と重なる部分と、底面板側フラップ４１，４２と重なる部分の間の前側面側フラップ３１，３２の部分を隙間部Ｇ１とも記載する。
【００３８】
また、後側面側フラップ５１，５２における天面板側フラップ２１，２２、及び底面板側フラップ４１，４２と重ならない部分を隙間部Ｇ２とも記載する。換言すれば、包装箱１の開口部をフラップにて閉じた際に、天面板側フラップ２１，２２と重なる部分と、底面板側フラップ４１，４２と重なる部分の間の後側面側フラップ５１，５２の部分を隙間部Ｇ２とも記載する。なお、本実施形態における隙間部Ｇ１が、特許請求の範囲における第１の隙間部とされている。また、本実施形態における隙間部Ｇ２が、特許請求の範囲における第２の隙間部とされている。
【００３９】
天面板２には、折り目２５と交わると共に、折り目２５と向かい合う辺２０と交わる方向に折り目２３，２４と略平行に延びる一組の天面破断線７２，７３が設けられている。換言すれば、この天面破断線７２，７３は、本体部１０が四角筒状に組み立てた状態において、折り目２５上の異なる二つの箇所から折り目５５と交わる方向に向かってそれぞれ延びる一組の破断線である。なお天面破断線７２，７３は、一定の間隔を空けて並んで設けられている。この天面破断線７２，７３にて区画された天面板２部分が、包装箱１の内容物の広告等が表示される広告表示部７８である。
【００４０】
ここで破断線とは、包装箱１の開封作業等を行う使用者が所定の方向の力を加えると、所望の方向に引き裂くことができる様に加工されたシート材の部分をいう。本実施形態において破断線は、所定の長さの切り込みが、所定の間隔を開けてミシン目状に連続して配置された部分である例に適用して以降の説明を行う。ここで切り込みとは、刃物などによって厚さ方向に切り込まれたシート材の部分をいう。本実施形態では、この切り込みは、包装箱１を構成する段ボールシートの一方の側のライナーと、中芯の少なくとも一部が、刃物などによって所定の長さにわたって切り込まれた部分である例に適用して以降の説明を行う。なお切り込みは、段ボールシートを貫通して設けられているものであってもよい。また、破断線は、使用者がシート材を所定の向きに容易に引き裂くことができる様に加工されたものであれば、他の公知の方法でシート材が加工されたものであってもよい。
【００４１】
また本実施形態において、破断線と折り目が交わるようにして設けられている（形成されている）状態には、破断線の一番端側の切り込みの端部が折り目上に設けられている場合の他、破断線の一番端側の切り込みが、折り目と交差して設けられている状態も含むものとする。また、破断線の一番端側の切り込みの端部が、当該折り目と離間して設けられている場合であっても、その離間の長さが、使用者が当該破断線に沿ってシート材を引き裂く際に、意図した方向にその折り目の部分まで容易に切り裂くことができる程度の長さである場合には、その破断線は、当該折り目と交わって配置されているものとする。
【００４２】
天面破断線７２は、天面板２の右側の端部よりも左側（折り目２４側）に設けられている。換言すれば天面破断線７２は、天面板２の右側の端部に設けられた折り目２３と左右方向に間隔を空けて設けられている。この天面破断線７２と折り目２３の間の天面板２の部分が、残余部２８となっている。なお、天面破断線７２を折り目２３上に設け、天面板２に残余部２８を設けない構成としてもよい。
【００４３】
天面破断線７３は、天面板２の左側の端部よりも右側（折り目２３側）に設けられている。換言すれば天面破断線７３は、天面板２の左側の端部に設けられた折り目２４と左右方向に間隔を空けて設けられている。この天面破断線７３と折り目２４の間の天面板２の部分が、残余部２９となっている。なお、天面破断線７３を折り目２４上に設け、天面板２に残余部２９を設けない構成としてもよい。
【００４４】
広告表示部７８には、同一の仮想線上に延びる中折り線７４，７６と、中折り線７４と中折り線７６の向かい合う側の端部をつなぐ破断線７５が設けられている。中折り線７４は、天面破断線７２と略直角に交わり、天面破断線７３に向かい折り目２５と略平行に延びる所定の長さの折り目である。中折り線７６は、一方の側が天面破断線７３と略直角に交わり、他方の側が天面破断線７２に向かい折り目２５と略平行に延びる所定の長さの折り目である。破断線７５は、中折り線７４の天面破断線７３側の端部と、中折り線７６の天面破断線７２側の端部をつなぐ、折り目５５（辺２０）側に湾曲した半円状の破断線である。なお本実施形態における破断線７５が、特許請求の範囲における区画破断線とされている。
【００４５】
この中折り線７４，７６、及び破断線７５にて区画された広告表示部７８の前側面板３側の部分が、包装箱１を、商品等を陳列する際の一つの形態である陳列状態とする際に、底面板４に対して略９０度の角度で配置され、前側面板３と同じ側を向く表側表示部７１である。また、中折り線７４，７６、及び破断線７５にて区画された広告表示部７８の後側面板５側の部分が、包装箱１を陳列状態とする際に、底面板４に対して略９０度の角度で配置され、後側面板５と同じ側を向く裏側表示部７０である。なお破断線７５にて区画され、表側表示部７１から裏側表示部７０側に延出している半円形の部分が、突出部７７である。本実施形態では、表側表示部７１に、包装箱１の内容物の広告等が印刷など公知の方法で表示さている例に適用して以降の説明を行うが、裏側表示部７０にも広告等が表示されていてもよい。また内容物の広告等は、例えば広告が印刷されたシールを貼り付けるなど、他の公知の方法によって表側表示部７１や裏側表示部７０に表示されていてもよい。
【００４６】
天面板２と前側面板３の境目の、折り目２３と天面破断線７２にて挟まれた間の部分に、破断線６６が設けられている。換言すれば、残余部２８の前側面板３側の辺の部分に破断線６６が設けられている。また、天面板２と前側面板３の境目の、折り目２４と天面破断線７３にて挟まれた間の部分に、破断線６７が設けられている。換言すれば、残余部２９の前側面板３側の辺の部分に破断線６７が設けられている。
【００４７】
前側面板３には、折り目３３と折り目３５が交わる角の部分、換言すれば前側面板３の、底面板４側の右側の角部から、天面板２側（上側）に向かって斜めに延びる折り畳み線８６が設けられている。また前側面板３には、折り目３４と折り目３５が交わる角の部分、即ち前側面板３の底面板４側の左側の角部から、天面板２側（上側）に向かって斜めに延びる折り畳み線８７が設けられている。この折り畳み線８６，８７は、それぞれ折り目３５となす角度が略４５度となる様に設けられた折り目で、それぞれの角部から、包装箱１の高さの約１／４程度となる前側面板３の部分まで延びている。
【００４８】
また前側面板３には、天面破断線７２，７３と折り目２５が交わるそれぞれの箇所から底面板４の側（下側）に向かって延びる一組の側面破断線８１，８３と、側面破断線８１，８３の下側の端部をつなぐ側面破断線８２が設けられている。即ち前側面板３には、側面破断線８１〜８３からなる略Ｕ字状の破断線が設けられている。この略Ｕ字状の破断線（側面破断線８１〜８３）にて区画された前側面板３の部分が、詳細は後述する開封部８８である。なお、側面破断線８１，８３は、それぞれ底面板４の側に延びるにつれてその間の幅が狭くなる様にそれぞれ略くの字状に折れ曲がっている。側面破断線８２は、弓状の形状をしており、その最も下側の部分は、底面板４側に半円状に湾曲している。このため、開封部８８は釣り鐘型の形をするとともに、その下側の部分に、半円状に底面板側に突出した押込部８９が設けられている。この押込部８９は、開封時に使用者の指が押し込まれると共に、使用者によって保持される部分である。
【００４９】
開封部８８の底面板４の側（下側）は、折り畳み線８６の延長線上にある仮想線Ａ（折り畳み線８６が延びる方向）と、折り畳み線８７の延長線上にある仮想線Ｂ（折り畳み線８７が延びる方向）が交わる箇所よりも底面板４の側に延びて位置している。即ち、開封部８８は、仮想線Ａと仮想線Ｂが交わる箇所よりも底面板４の側（下側）側に延びて位置する部分を有している。
【００５０】
なお側面破断線８１，８２，８３の形状は上記に記載されている様な略Ｕ字の形状に限定される訳ではなく、包装箱１を開封する際に容易に開封部８８を切り離すことができ、且つ仮想線Ａと仮想線Ｂが交わる箇所よりも底面板４の側（下側）側に位置する部分を有する開封部８８を区画する形状であれば、上記以外の他の形状であってもよい。
【００５１】
後側面板５には、折り目５３と折り目４５が交わる角の部分、換言すれば後側面板５の、底面板４側の右側の角部から、上側（天面板２側）に向かって斜めに延びる折り畳み線９６が設けられている。また、折り目５４と折り目４５が交わる角の部分、換言すれば後側面板５の底面板４側の左側の角部から、上側（天面板２側）に向かって斜めに延びる折り畳み線９７が設けられている。この折り畳み線９６，９７は、それぞれ折り目４５となす角度が略４５度となる様にして後側面板５に設けられた折り目であり、それぞれの角部から、包装箱１の高さの約半分となる高さとなる後側面板５の部分まで延びている。
【００５２】
後側面板５には、天面破断線７２，７３と折り目５５が交わる箇所から、底面板４に向かってそれぞれが交わる方向に近接しながら下側（底面板４側）に向かって延びる側面破断線９１，９２と、側面破断線９１，９２の底面板４の端部をつなぐ側面破断線９３が設けられている。即ち後側面板５には、側面破断線９１，９２，９３からなる略Ｖ字状の破断線が設けられている。
【００５３】
この側面破断線９１，９２，９３にて区画された後側面板５の部分が、詳細は後述する切取部９０となっている。この切取部９０の底面板４の側（下側）の部分は、折り畳み線９６の延長線上にあるある仮想線Ｃ（折り畳み線９６が延びる方向）と、折り畳み線９７の延長線上にある仮想線Ｄ（折り畳み線９７が延びる方向）が交わる箇所よりも底面板４の側に延びて位置している。即ち切取部９０は、仮想線Ｃと仮想線Ｄが交わる箇所よりも底面板４の側（下側）側に延びて位置する部分を有している。
【００５４】
なお側面破断線９１，９２，９３の形状は上記に記載されている様な略Ｖ字状の形状に限定される訳ではなく、切取部９０を容易に切り離すことができ、且つ仮想線Ｃと仮想線Ｄが交わる箇所よりも底面板４の側（下側）側に位置する部分を有する切取部９０を区画する形状であれば、上記以外の他の形状であってもよい。
【００５５】
本実施形態における折り畳み線８６が、特許請求の範囲における第１の折り畳み線と、本実施形態における折り畳み線８７が、特許請求の範囲における第２の折り畳み線とされている。また、本実施形態における折り畳み線９６が、特許請求の範囲における第３の折り畳み線と、本実施形態における折り畳み線９７が、特許請求の範囲における第４の折り畳み線とされている。また、側面破断線８１，８２，８３からなる破断線が、特許請求の範囲における第１の側面破断線と、側面破断線９１，９２，９３からなる破断線が、特許請求の範囲における第２の側面破断線とされている。
【００５６】
接着部６の天面破断線７２，７３に対応する部分には、破断線６３，６４が設けられている。具体的には、本体部１０を組み立てた際に天面破断線７２と向かい合う接着部６の部分に、折り目２３と略平行に延びる破断線６３が設けられ、天面破断線７３と向かい合う部分に、折り目２４と略平行に延びる破断線６４が設けられている。なお、破断線６３の後側面板５側の端部は、側面破断線９１とつながっており、破断線６４の後側面板５側の端部は、側面破断線９２とつながっている。また、破断線６３，６４と辺６５が交わる箇所は、折り目５５に向かって楔形に切り込まれた切り欠き６８，６９が設けられている。
【００５７】
後側面板５と接着部６との境目の、接着部６の右側の辺と破断線６３に挟まれた部分に破断線６１が設けられている。また、後側面板５と接着部６との境目の、接着部６の左側の辺と破断線６４に挟まれた部分に破断線６２が設けられている。
【００５８】
前側面板３には、折り目３５と略平行に左右に向かって延びる帯状の前側切り離し部Ｆが設けられている。また、後側面板５には、折り目４５と略平行に左右に向かって延びる帯状の後側切り離し部Ｒが設けられている。この前側切り離し部Ｆ、及び後側切り離し部Ｒは、包装箱１を上下に分離する際に用いられる部分である。前側切り離し部Ｆ、及び後側切り離し部Ｒの裏側の面には、一定の幅を有し前側切り離し部Ｆ、及び後側切り離し部Ｒと同じ方向に向かって延びるカットテープが貼り付けられている。このカットテープは、外側に向かって引っ張られると、貼り付けられたシート材を切り裂く事が可能な引っ張り強度を有した公知の素材からできている。
【００５９】
前側切り離し部Ｆは、包装箱１を展開した状態において、前側面側フラップ３１、前側面板３、及び前側面側フラップ３２に跨がり、折り目３５と略平行に直線状に延びて設けられている。前側切り離し部Ｆの一方は、折り目３３と交わり、前側面側フラップ３１の端辺３６まで延びている。また、前側切り離し部Ｆの他方は、折り目３４と交わり、前側面側フラップ３２の端辺３７までに延びている（図１参照。）。
【００６０】
前側切り離し部Ｆは、前側面側フラップ３１、及び前側面側フラップ３２の隙間部Ｇ１に設けられている。即ち前側切り離し部Ｆの一方は、組み立てられた状態において、その外側の面に重ねられる天面板側フラップ２１の端辺２６と、底面板側フラップ４１の端辺４６の間の前側面側フラップ３１の部分に設けられている。また、前側切り離し部Ｆの他方は、組み立てられた状態において、その外側の面に重ねられる天面板側フラップ２２の端辺２７と、底面板側フラップ４２の端辺４７の間の前側面側フラップ３２の部分に設けられている。
【００６１】
後側切り離し部Ｒは、包装箱１を展開した状態において、後側面側フラップ５１、後側面板５、及び後側面側フラップ５２に跨がり、折り目４５と略平行に直線状に延びる部分である（図１参照。）。後側切り離し部Ｒの一方は、折り目５３と交わり、後側面側フラップ５１の端辺５６まで延びている。また、後側切り離し部Ｒの他方は、折り目５４と交わり、後側面側フラップ５２の端辺５７まで延びている。
【００６２】
後側切り離し部Ｒは、後側面側フラップ５１、及び後側面側フラップ５２の隙間部Ｇ２に設けられている。即ち、後側切り離し部Ｒの一方は、組み立てられた状態において、その外側の面に重ねられる天面板側フラップ２１の端辺２６と、底面板側フラップ４１の端辺４６の間の後側面側フラップ５１の部分に設けられている。また、後側切り離し部Ｒの他方は、組み立てられた状態において、その外側の面に重ねられる天面板側フラップ２２の端辺２７と、底面板側フラップ４２の端辺４７の間の後側面側フラップ５２の部分に設けられている。
【００６３】
なお、前側面板３の前側切り離し部Ｆと側面破断線８１が交わる箇所に切り込み８４が、前側切り離し部Ｆと側面破断線８３が交わる箇所に、切り込み８５がそれぞれ設けられている。この切り込み８４，８５は、略Ｈ字状の切り込みであり、使用者が前側切り離し部Ｆを引っ張る際に保持される前側切り離し開始部Ｆ１〜Ｆ４を区画している。より具体的に説明すると、切り込み８４は、側面破断線８１の右側に前側切り離し開始部Ｆ１を、側面破断線８１の左側（広告表示部７８側）に前側切り離し開始部Ｆ３を区画している。また、切り込み８５は、側面破断線８３の左側に前側切り離し開始部Ｆ２を、側面破断線８１の右側（広告表示部７８側）に前側切り離し開始部Ｆ４を区画している。なお、本実施形態における前側切り離し開始部Ｆ１，Ｆ３が、特許請求の範囲における第１の前側切り離し開始部と、本実施形態における前側切り離し開始部Ｆ２，Ｆ４が、特許請求の範囲における第２の前側切り離し開始部とされている。
【００６４】
また、後側面板５の側面破断線９３の底面板４側に、切り込み９８が設けられている。切り込み９８は、天面板２に向かって延びる切り込みと、左右の方向に延びる切り込みが交わった略Ｔ字状の切り込みである。切り込み９８は天面板２に向かって延びる切り込みの端部が側面破断線９３と交わる様にして設けられている。切り込み９８及び側面破断線９３は、使用者が後側切り離し部Ｒを引っ張る際に保持される後側切り離し開始部Ｒ１，Ｒ２を区画している。具体的には、切り込み９８の右側に後側切り離し開始部Ｒ１を、その左側に後側切り離し開始部Ｒ２を区画している。なお前側切り離し開始部Ｆ１〜Ｆ４、及び後側切り離し開始部Ｒ１，Ｒ２は、切り込み８４，８５，９８によって区画された部分であるため、使用者が指などで押し込んで保持することが容易である。また、前側切り離し部Ｆと後側切り離し部Ｒの裏側の面に貼り付けられたカットテープは、切り込み８４，８５，９８にて分割されている。
【００６５】
２．組立方法の説明
続いて包装箱１の組立方法について、主に図１〜３を参照して説明する。はじめに、本体部１０を折り目２５，３５，４５にて内側に折り曲げ、四角筒状に形成する。続いて接着部６を折り目５５にて内側に折り曲げると共に、その外側の面を、天面板２の内側面の辺２０の近傍の部分に接着材などの公知の接着方法によって貼り合わせる。この際、破断線６３と天面破断線７２の辺２０側の部分、及び破断線６４と天面破断線７３の辺２０側の部分が重なりあう様に、天面板２及び接着部６の位置を調節して貼り合わせる。
【００６６】
続いて、前側面側フラップ３１，３２を折り目３３，３４にて前側面板３に対して略直角となる様に内側に折り曲げる。また、後側面側フラップ５１，５２を折り目５３、５４にて後側面板５に対して略直角となる様に内側に折り曲げる。続いて天面板側フラップ２１，２２を、折り目２３，２４にて天面板２に対して略直角に内側に折り曲げる。折り曲げた天面板側フラップ２１，２２は、その内側の面を、それぞれ前側面側フラップ３１，３２及び後側面側フラップ５１，５２の上側の外面に接着剤などの公知の方法によって貼り付ける。また、底面板側フラップ４１，４２を、折り目４３，４４にて底面板４に対して略直角に折り曲げる。折り曲げた底面板側フラップ４１，４２は、その内側の面を、それぞれ前側面側フラップ３１，３２及び後側面側フラップ５１，５２の下側の外面に接着剤などの公知の方法によって貼り付ける。この様にして本体部１０の開口部が塞がれて、包装箱１の左右の側面が形成される。
【００６７】
３．開封方法の説明
続いて主に図４〜７を参照し、包装箱１の開封方法について説明を行う。
はじめに、前側面板３から開封部８８を切り離す。具体的には、押込部８９を指などで押し込んで保持するとともに外側の方向に引っ張って側面破断線８２、及び側面破断線８１，８３を破断させて開封部８８を切り離す（図４参照。）。
【００６８】
開封部８８を前側面板３から切り離したら、続いて広告表示部７８を天面板２から切り離す。具体的には、開封部８８を上側に引っ張って天面破断線７２，７３を折り目５５に向かって破断させ、広告表示部７８を天面板２から切り離す。なお天面破断線７２，７３が、天面板２と接着部６が張り合わされた部分まで破断されると、天面破断線７２，７３と共に破断線６３，６４も破断され、接着部６の破断線６３，６４の間の部分も広告表示部７８と共に接着部６の他の部分から切り離される。なお、接着部６の辺６５と破断線６３，６４の交わる箇所には楔形の切り欠き６８，６９が設けられているため、破断線６３，６４と天面破断線７２，７３が左右方向に若干ずれた状態で天面板２と接着部６が貼り合わされていたとしても、破断線６３，６４は天面破断線７２，７３とともに破断され、開封作業の妨げとなる事が防がれる。
【００６９】
広告表示部７８が天面板２の他の部分から切り離されたら、開封部８８及び広告表示部７８を、後側面板５が延びる同一の面上に配置する（図５参照。）。そして、破断線７５にて突出部７７を裏側表示部７０から切り離すと共に、広告表示部７８を、表側表示部７１と裏側表示部７０のそれぞれの内側の面が向き合うように中折り線７４，７６にて折り曲げる（図６参照。）。具体的には、表側表示部７１の内側の面と裏側表示部７０の内側の面が当接し、開封部８８の内側の面と後側面板５の内側の面が当接するまで広告表示部７８を折り曲げる。そして折り曲げた広告表示部７８を、表側表示部７１と裏側表示部７０を、後側面板５が延びる平面と略同一の平面上に配置する。換言すれば、表側表示部７１と裏側表示部７０を、包装箱１の上側の面から突出し、起立した状態で配置する。なお、広告表示部７８には破断線７５が設けられているため、中折り線７４，７６にて折り曲げると、突出部７７が、中折り線７４，７６よりも上側に突出した状態となる（図７参照。）。
【００７０】
表側表示部７１及び裏側表示部７０を起立した状態で配置したら、開封部８８を、包装箱１の図示されていない内容物と、後側面板５の内側の面との間の隙間に差し込む。このようにすることで広告表示部７８が自然と折り戻されてしまうことが防がれ、表側表示部７１及び裏側表示部７０が起立した状態で維持される。なお、両面テープなどの公知の接着方法などによって、表側表示部７１の内側の面を裏側表示部７０の内側の面に貼り付けたり、開封部８８の内側の面を後側面板５の内側の面に貼り付けたりしてもよい。
【００７１】
以降の説明において、開封部８８及び広告表示部７８が切り離され、表側表示部７１と裏側表示部７０が起立して配置された、図７に示すような包装箱１の状態を「陳列状態」とも記載する。この陳列状態において、天面板２、及び前側面板３の、広告表示部７８及び開封部８８が切り取られた部分が、包装箱１の内容物を取り出す取り出し口となる部分である。なお天面板２の側の取り出し口の左右の側には、残余部２８，２９が配置されている。
【００７２】
４．折り畳み方法の説明
続いて主に図８〜１１を参照し、包装箱１１の折り畳み方法について説明を行う。
包装箱１の使用を終えたら、切取部９０を後側面板５から切り離す。具体的には、後側面板５の後側切り離し開始部Ｒ１，Ｒ２を内側に押し込んで、切取部９０の下側の部分を保持し、外側に引っ張って側面破断線９１〜９３を破断させる。側面破断線９１，９２が折り目５５まで破断されると、切取部９０が後側面板５から切り離される。なお、広告表示部７８を後側に更に引っ張って側面破断線９１，９２、及び側面破断線９３を破断させて切取部９０を後側面板５から切り離してもよい。切取部９０が後側面板５から切り離されると、開封部８８、広告表示部７８及び切取部９０は一体として包装箱１から分離される（図８参照。）。なお、この開封部８８、広告表示部７８及び切取部９０が切り離された状態で、包装箱１を商品の陳列に用いてもよい。
【００７３】
続けて残余部２８，２９をそれぞれ上側に引っ張って、破断線６１，６２，６６，６７を破断させ、残余部２８，２９をそれぞれ折り目２３，２４にて折り返し、包装箱１の左右の側面が延びる面と略同一面上とになる様に配置する（図９参照。）。
【００７４】
続けて折り畳み線８６，８７の間の前側面板３の下側の部分を、折り畳み線８６，８７にて折り曲げながら外側に向かって折り広げる。同様に、折り畳み線９６，９７の間の後側面板５の側面破断線９３よりも下側の部分を、折り畳み線９６，９７にて折り曲げながら外側に向かって折り広げる。この際、包装箱１の左側面を折り目４４に沿って内側に折り畳むと共に、包装箱１の右側の側面の内側の面を左側面の外側の面に重ねる様にして、折り目４３にて内側に折り畳む（図１０参照。）。包装箱１の左側の側面の内側の面、即ち前側面側フラップ３２及び後側面側フラップ５２の内側の面が底面板４の内側の面と重なり、包装箱１の右側側面の内側の面、即ち前側面側フラップ３１及び後側面側フラップ５１の内側の面が、天面板側フラップ２２、底面板側フラップ４２の外側の面に重なる様に折り畳むと、包装箱１は平らに折り畳まれる（図１１参照。）。
【００７５】
５．トレー状態の説明
なお包装箱１は、その上側の部分を前側切り離し部Ｆ、及び後側切り離し部Ｒにて分離させ、商品等を陳列するトレー状の形態で使用することも可能である（図１２参照。）。なお、以降において、図１２に様に、包装箱１の上側の部分を切り離した包装箱１の状態を「トレー状態」とも記載する。
【００７６】
包装箱１をトレー状態にするためには、はじめに前側切り離し開始部Ｆ１，Ｆ２を保持し、その左右側の前側切り離し部Ｆを前側に引っ張って前側面板３の左右の部分を引き裂いて前側面板３を上下に分離する。
【００７７】
前側面板３を上下に分離したら、更に前側切り離し部Ｆをそれぞれ後側に引っ張って前側面側フラップ３１，３２を引き裂いて上下に分離する。なお開封部８８が切り離されていない場合には、前側切り離し開始部Ｆ３あるいは前側切り離し開始部Ｆ４を保持し、前側切り離し開始部Ｆ３と前側切り離し開始部Ｆ４の間の前側切り離し部Ｆを前側に引っ張って、開封部８８を引き裂いて上下に分離する。
【００７８】
続けて、後側面板５に設けられている後側切り離し開始部Ｒ１，Ｒ２を保持し、後側切り離し開始部Ｒ１，Ｒ２の左右の側にある後側切り離し部Ｒをそれぞれ左右の方向に引っ張って後側面板５を引き裂いて上下に分離する。更に後側切り離し部Ｒをそれぞれ前側に引っ張って後側面側フラップ５１，５２を引き裂いて上下に分離する。
【００７９】
なお前側切り離し部Ｆは、前側面側フラップ３１，３２の隙間部Ｇ１に、後側切り離し部Ｒは、後側面側フラップ５１，５２の隙間部Ｇ２にそれぞれ設けられている。このため、前側面側フラップ３１，３２及び後側面側フラップ５１，５２を上下に分離する際に、天面板側フラップ２１，２２、及び底面板側フラップ４１，４２がその妨げとなることはなく、上下に分離する作業を容易に行うことができる。
【００８０】
なお、使用を終えたトレー状態の包装箱１は、折り畳み線８６，８７、及び折り畳み線９６，９７にて平らな状態に折り畳むことができる。具体的には、折り畳み線８６，８７の間の前側面板３の下側の部分を、折り畳み線８６，８７にて外側に折り広げ、折り畳み線９６，９７の間の後側面板５の下側の部分を、折り畳み線９６，９７にて外側におり広げて、平らな状態に折り畳むことができる（図１２（ｂ）参照。）。
【００８１】
上記の構成からなる包装箱１によれば、開封部８８の下側の端部が、折り畳み線８６が延びる方向（仮想線Ａ）と、折り畳み線８７が延びる方向（仮想線Ｂ）が交わる箇所よりも底面板４の側に延びて位置している。また、切取部９０の下側の端部は、折り畳み線９６が延びる方向（仮想線Ｃ）と、折り畳み線９７が延びる方向（仮想線Ｄ）が交わる箇所よりも底面板４の側に延びて位置している。このため、広告表示部７８、開封部８８、及び切取部９０を切り離した状態において、前側面板３の仮想線Ａと仮想線Ｂ交わる箇所より上側の部分には、前側面板３を折り広げる際の妨げとなるシート材が存在していない。また、後側面板５の仮想線Ｃと仮想線Ｄが交わる箇所より上側の部分にも、後側面板５を折り広げる際の妨げとなるシート材が存在していない。このため、貼り合わされたフラップを引き剥したり、包装箱１を上下に分離したりしなくても、前側面板３、及び後側面板５を外側に折り広げ、包装箱１を平らな状態に折り畳むことができる。
【００８２】
また、包装箱１の天面板２に設けられた天面破断線７２は、折り目２３よりも左側に設けられている。また、天面板２に設けられた天面破断線７３は、折り目２４よりも右側に設けられている。このため、広告表示部７８を天面板２から切り離しても、包装箱１の上側の取り出し口の左右の側に、残余部２８，２９が残されるため、包装箱１を陳列状態としても、その上側に他の包装箱１を積み重ねることができる。即ち、下側に配置した包装箱１の残余部２８，２９の外側（上側）の面に、他の包装箱１の底面板４の外側（下側）の面を重ねる様にして包装箱１を積み重ねることができる。このため、限られたスペースにであっても陳列状態とした複数の包装箱１を配置することができる。
【００８３】
また、包装箱１の天面板２には、中折り線７４，７６が設けられた広告表示部７８が設けられており、内容物の広告等が表示された広告表示部７８を折り曲げて、底面板４に対して起立した状態で配置することできる。このため、広告が顧客の目にとまりやすくなり、広告効果の高い包装箱を提供することができる。また、裏側表示部７０にも広告等を表示すれば、更に顧客の目を引く広告効果の高い包装箱１を提供することが期待できる。なお、陳列状態における表側表示部７１の前側は、包装箱１の取り出し口となっているため、内容物である商品の広告等を実際の商品のすぐ近くで表示するため、更に広告効果が高まることが期待できる。
【００８４】
また、包装箱１の表側表示部７１には、突出部７７が設けられている。この突出部７７は、包装箱１を陳列状態とした際に、中折り線７４，７６よりも更に上側に突出して配置されるため、顧客の目を引きやすい。このため更に広告効果を増した包装箱とすることが期待できる。
【００８５】
更に包装箱１には、前側切り離し部Ｆ、及び後側切り離し部Ｒが設けられている。このため、包装箱１の上下に分割することができる。そして分割した下側の部分を、商品を陳列するトレーとして使用することも可能である。このトレー状態とした包装箱１は、上側に商品の取り出しの妨げになる部分がないため、顧客が商品を取りやすい状態で商品を陳列することができる。
【００８６】
また、包装箱１の前側面板３の、側面破断線８１，８３と前側切り離し部Ｆが交わる箇所に、前側切り離し部Ｆを保持し、前側切り離し部Ｆによる分割作業を開始するための前側切り離し開始部Ｆ１，Ｆ２が設けられている。このため、前側切り離し部Ｆを引っ張って包装箱１を上下に分割する作業が行いやすい。また、開封部８８側にも前側切り離し開始部Ｆ３，Ｆ４が設けられているため、開封部８８が前側面板３から切り離されていない状態であっても、前側切り離し開始部Ｆ３、あるいは前側切り離し開始部Ｆ４を保持して開封部８８を引き裂いて、包装箱１を上下に分割することができる。
【００８７】
また、後側面板５の切取部９０と隣接する部分に、後側切り離し部Ｒを保持し、後側切り離し部Ｒによる分割作業を開始するための後側切り離し開始部Ｒ１，Ｒ２が設けられている。このため、後側切り離し部Ｒを引っ張って包装箱１を上下に分割する作業が行いやすい。また、後側切り離し開始部Ｒ１，Ｒ２は、切取部９０と隣接しているため、切取部９０を後側面板５から分離する際に、後側切り離し開始部Ｒ１，Ｒ２を押し込んで、切取部９０の下側の端部を保持することが容易に行える。このため、側面破断線９１〜９３を破断させ、切取部９０を切り取る作業も行いやすい。
【００８８】
また、包装箱１は、陳列状態とした際に、前側の側面（前側面板３）と上側の面（天面板２）に商品を取り出すための取り出し口が形成される。このため、商品の取り出しが容易であると共に、内容物の側面などに印刷されているラベル等が顧客から見えやすい状態で商品を陳列することが可能である。また、切取部９０も切り取った状態で商品の陳列に用いれば、包装箱１の背面側からも商品の取り出しがしやすく、包装箱１の背面側にいる顧客に対しても内容物の側面などに印刷されているラベル等が見えやすい状態で商品等を陳列することもできる。
【００８９】
なお、本発明の技術範囲は上記実施形態に限定されるものではなく、本発明の趣旨を逸脱しない範囲において種々の変更を加えることが可能である。例えば、上記の実施の形態においては、天面破断線７２，７３が折り目２３，２４と略平行に直線状に設けられ、天面板２の左右の中央付近に広告表示部７８が設けられている例に適用して以降の説明を行ったが、天面破断線７２，７３は、広告表示部７８の左右の側に残余部２８，２９が設けられる様にされていれば、上記とは異なる位置に設けられていてもよい。例えば、広告表示部７８が天面板２の中央から左右いずれかの側にずれた位置に設けられる様に天面破断線７２，７３を設けてもよい。また、天面破断線７２，７３は、折り目２３，２４と平行で無くてもよく、あるいは曲線であってもよい。
【００９０】
また、本実施形態では、破断線７５が半円形状をしている例に適用して説明を行ったが、破断線７５は、表側表示部７１から裏側表示部７０側に突出する突出部７７を区画する形状であれば、他の形状をしていてもよい。例えば、突出部７７を包装箱１の内容物である商品と関連性の高い形状とすれば、より広告効果の高い包装箱１を提供することが期待できる。あるいは、広告表示部７８に破断線７５を設けない（突出部７７を設けない）構成としてもよい。この様にすれば、より簡易な構成の広告表示部７８を有した包装箱１を提供することが可能となる。
【００９１】
また本実施形態では、開封部８８にも前側切り離し部Ｆが設けられている例に適用して説明を行ったが、開封部８８には前側切り離し部Ｆを設けない構成としてもよい。即ち、開封部８８の内側の面にカットテープを貼り付けなくてもよい。この様にすれば、より簡素な構成の包装箱１とすることができる。
【００９２】
また本実施形態では、折り畳み線８６，８７と折り目３５となす角度、及び折り畳み線９６，９７と折り目４５となす角度がそれぞれ略４５度である例に適用して説明を行った。一方、包装箱１を折り畳む際に、前側面板３や後側面板５を折り広げて平らに折り畳むことができれば、折り畳み線８６，８７及び畳み線９６，９７は上記とは異なる角度でそれぞれ設けられていてもよい。
【符号の説明】
【００９３】
１・・・包装箱    ２・・・天面板    ３・・・前側面板    ４・・・底面板
５・・・後側面板    ６・・・接着部    １０・・・本体部    ２０・・・辺
２１，２２・・・天面板側フラップ    ２３，２４、２５・・・折り目
２６，２７・・・端辺    ２８，２９・・・残余部
３１，３２・・・前側面側フラップ    ３３，３４，３５・・・折り目
３６，３７・・・端辺    ４１，４２・・・底面板側フラップ
４３，４４，４５・・・折り目    ４６，４７・・・端辺
５１，５２・・・後側面側フラップ    ５３，５４，５５・・・折り目
５６，５７・・・端辺    ６１，６２，６３，６４・・・破断線    ６５・・・辺
６６，６７・・・破断線    ６８，６９・・・切り欠き    ７０・・・裏側表示部
７１・・・表側表示部    ７２，７３・・・天面破断線    ７５・・・破断線
７４，７６・・・中折り線    ７７・・・突出部    ７８・・・広告表示部
８１，８２，８３・・・側面破断線    ８４，８５・・・切り込み
８６，８７・・・折り畳み線    ８８・・・開封部    ８９・・・押込部
９０・・・切取部    ９１，９２，９３・・・側面破断線
９６，９７・・・折り畳み線    ９８・・・切り込み
Ａ，Ｂ，Ｃ，Ｄ・・・仮想線
Ｆ・・・前側切り離し部    Ｆ１〜Ｆ４・・・前側切り離し開始部
Ｒ・・・後側切り離し部    Ｒ１〜Ｒ２・・・後側切り離し開始部
Ｇ１，Ｇ２・・・隙間部
【図１】
2020158139.tif 000003
【図２】
2020158139.tif 000004
【図３】
2020158139.tif 000005
【図４】
2020158139.tif 000006
【図５】
2020158139.tif 000007
【図６】
2020158139.tif 000008
【図７】
2020158139.tif 000009
【図８】
2020158139.tif 000010
【図９】
2020158139.tif 000011
【図１０】
2020158139.tif 000012
【図１１】
2020158139.tif 000013
【図１２】
2020158139.tif 000014